(57)【要約】【課題】くらげを生きたまま回収した後、直ぐにカーテンウォール外に放流できるくらげ除去装置を提供することを課題とする。【解決手段】カーテンウォール内のくらげを除去するくらげ除去装置であって、カーテンウォール内でくらげを掬う回収部と、該回収部で回収したくらげを前記カーテンウォール外に排出する排出路とを備え、前記回収部は、前記カーテンウォール内で昇降可能であり且つ昇降動作に伴って、海中に沈められた沈下状態と、海中から引き上げられた引上状態とに切替可能であるとともに、回収したくらげを前記引上状態に切り替えられている状態で前記排出路に排出可能に構成され、前記排出路は、前記回収部内で掬ったくらげを投入する投入部と、該投入部からカーテンウォール外まで延びる排出部であって、該投入部に投入されたくらげを排出する排出部とを有する。【選択図】図２
2019078108.tif 000002
【特許請求の範囲】
【請求項１】
カーテンウォール内のくらげを除去するくらげ除去装置であって、カーテンウォール内でくらげを掬う回収部と、該回収部で回収したくらげを前記カーテンウォール外に排出する排出路とを備え、前記回収部は、前記カーテンウォール内で昇降可能であり且つ昇降動作に伴って、海中に沈められた沈下状態と、海中から引き上げられた引上状態とに切替可能であるとともに、回収したくらげを前記引上状態に切り替えられている状態で前記排出路に排出可能に構成され、前記排出路は、前記回収部内で掬ったくらげを投入する投入部と、該投入部からカーテンウォール外まで延びる排出部であって、該投入部に投入されたくらげを排出する排出部とを有するくらげ除去装置。
【請求項２】
前記回収部は、該回収部内でくらげを受ける内底面を有し、該内底面は、少なくとも、前記引上状態に切り替えられ且つ前記投入部にくらげを投入する際に、前記排出路に向けてくらげを流す方向である流動方向における下流側の一端が、該流動方向における上流側の一端よりも下方側に位置するように傾斜する請求項１に記載のくらげ除去装置。  
【請求項３】
前記回収部は、前記内底面の外周縁部全周から上方に延出する周壁部を有し、該周壁部には、くらげを残して前記回収部内の海水を流出させる水抜孔が形成される請求項２に記載のくらげ除去装置。
【請求項４】
前記内底面上に水を供給するための給水機構を備える請求項２又は請求項３に記載のくらげ除去装置。
【請求項５】
前記周壁部は、基端側から先端側になるにつれて、前記回収部の外側に向かうように傾斜する請求項３に記載のくらげ除去装置。
【発明の詳細な説明】
【技術分野】
【０００１】
本発明は、カーテンウォール内のくらげを除去するためのくらげ除去装置に関する。
【背景技術】
【０００２】
従来から、火力発電所等の施設では、海水を取得するための取水口と、取水口で取得する海水から異物を除去するための除塵機とを備える取水設備が設置されており、さらに、該取水設備の周囲の水域を取り囲むカーテンウォールと、該カーテンウォール内に発生したくらげを除去するためのくらげ除去装置とが併せて導入されることがある。
【０００３】
くらげ除去装置は、例えば、特許文献１に記載されているように、カーテンウォール内に設置され且つ該カーテンウォール内の領域を取水口が設置されている第１領域と、該第１領域とは別の第２領域とに区分けするネットと、除塵機で除去されたくらげを第１領域から第２領域に搬送する放流路とを備えている。
【０００４】
また、カーテンウォールの下端部側には、内外に亘って貫通する貫通穴が形成されているため、引き潮時（すなわち、海水レベルが低下した時）に貫通穴が海面上に露出すると、第２領域に溜まっているくらげが貫通穴を通じてカーテンウォール外に流れ出るようになっている。
【先行技術文献】
【特許文献】
【０００５】
【特許文献１】特開２０１３−５３４４８号公報
【発明の概要】
【発明が解決しようとする課題】
【０００６】
ところで、上記従来のくらげ除去装置は、第２領域内にくらげを一旦溜めた後、引き潮、すなわち、海水レベルがカーテンウォールよりも低下するタイミングに合わせて第２領域内のくらげがカーテンウォール外に流れ出るように構成されているため、第２領域内のくらげがカーテンウォール外に流れ出る前に死んでしまうと、取水設備の周囲の水域で水質汚染や、悪臭の原因となることがある。
【０００７】
そこで、本発明は、かかる実情に鑑み、くらげを生きたまま回収した後、直ぐにカーテンウォール外に放流できるくらげ除去装置を提供することを課題とする。
【課題を解決するための手段】
【０００８】
本発明のくらげ除去装置は、カーテンウォール内のくらげを除去するくらげ除去装置であって、カーテンウォール内でくらげを掬う回収部と、該回収部で回収したくらげを前記カーテンウォール外に排出する排出路とを備え、前記回収部は、前記カーテンウォール内で昇降可能であり且つ昇降動作に伴って、海中に沈められた沈下状態と、海中から引き上げられた引上状態とに切替可能であるとともに、回収したくらげを前記引上状態に切り替えられている状態で前記排出路に排出可能に構成され、前記排出路は、前記回収部内で掬ったくらげを投入する投入部と、該投入部からカーテンウォール外まで延びる排出部であって、該投入部に投入されたくらげを排出する排出部とを有する。
【０００９】
上記構成のくらげ除去装置によれば、回収部を沈下状態から引上状態に切り替えることにより、該回収部でカーテンウォール内のくらげを掬って回収することができる。
【００１０】
また、回収部で掬って回収したくらげを排出路からカーテンウォールの外側に流すことができるため、カーテンウォール内のくらげを溜め続けることなく、すぐに除去することができる。
【００１１】
本発明のくらげ除去装置において、前記回収部は、該回収部内でくらげを受ける内底面を有し、該内底面は、少なくとも、前記引上状態に切り替えられ且つ前記投入部にくらげを投入する際に、前記排出路に向けてくらげを流す方向である流動方向における下流側の一端が、該流動方向における上流側の一端よりも下方側に位置するように傾斜するように構成されていてもよい。
【００１２】
このようにすれば、重力により内底面上のくらげが前記流動方向における上流側から下流側に向けて勢い良く流れて排出路に排出される。従って、上記構成のくらげ除去装置は、回収部で掬ったくらげをスムーズに排出路に排出することができる。
【００１３】
また、本発明のくらげ除去装置において、前記回収部は、前記内底面の外周縁部全周から上方に延出する周壁部を有し、該周壁部には、くらげを残して前記回収部内の海水を流出させる水抜孔が形成されていてもよい。
【００１４】
上記構成のくらげ除去装置によれば、内底面がフィルター機能を有する周壁部によって取り囲まれるため、回収部を沈下状態から引上状態に切り替えると、回収部内の海水は周壁部を通じて流出し、くらげは周壁部の内側に残る。
【００１５】
そのため、回収部内の海水の水位を下げてくらげがこぼれないようにしつつ、くらげを回収できる。
【００１６】
本発明のくらげ除去装置は、前記内底面上に水を供給するための給水機構を備えていてもよい。
【００１７】
このようにすれば、給水機構で内底面上に水を流すことにより、該内底面上でのくらげの流れをスムーズにすることができる。従って、上記構成のくらげ除去装置は、回収部で掬い上げたくらげを排出路に排出し易くすることができる。
【００１８】
本発明のくらげ除去装置において、前記周壁部は、基端側から先端側になるにつれて、前記回収部の外側に向かうように傾斜していてもよい。
【００１９】
このようにすれば、回収部で掬い上げたくらげが内底面上に集まり易くなるため、回収部内にくらげが残らないように排出路に排出し易くなる。
【発明の効果】
【００２０】
以上のように、本発明のくらげ除去装置によれば、回収したくらげをカーテンウォール外に直ちに放流できるという優れた効果を奏し得る。
【図面の簡単な説明】
【００２１】
【図１】図１は、本発明の一実施形態に係るくらげ除去装置の概要図である。
【図２】図２は、同実施形態に係るくらげ除去装置の概要図である。
【図３】図３は、同実施形態に係るくらげ除去装置の回収部の平面図である。
【図４】図４は、図３のＩＶ−ＩＶ線における断面図である。
【図５】図５は、図３のＶ−Ｖ線における断面図である。
【図６】図６は、同実施形態に係るくらげ除去装置の部分拡大図である。
【図７】図７は、同実施形態に係るくらげ除去装置の使用時の拡大図であり、ゲートの近傍領域の拡大図である。
【発明を実施するための形態】
【００２２】
以下、本発明の一実施形態にかかるくらげ除去装置について、添付図面を参照しつつ説明する。
【００２３】
くらげ除去装置は、図１に示すように、取水設備８の周囲に築かれたカーテンウォール９に囲まれた領域（以下、内側領域と称する）Ｅ１内のくらげを回収してカーテンウォール９の外側の領域（以下、外側領域と称する）Ｅ２、すなわち、カーテンウォール９外の海域に放流するように構成されている。なお、図１には、４台のくらげ除去装置１を図示している。
【００２４】
取水設備８は、海水を取得するための取水部８０と、該取水部８０が取得する海水に含まれる異物（海洋生物や、ごみ等）を除去する除塵機８１とを備えており、除塵機８１で異物を除去した海水を取水部８０で取得するように構成されている。
【００２５】
また、カーテンウォール９の上端側は海面上に露出し、カーテンウォール９の下端側は海中に位置しているが、カーテンウォール９の下端は海底よりも上方に位置している（図２参照）。
【００２６】
本実施形態に係るくらげ除去装置１は、くらげを掬って回収するための回収部２と、カーテンウォール９内において該回収部２の吊り上げ及び吊り下ろしを行う巻上機構３と（図６参照）、カーテンウォール９内に該巻上機構３を設置するための基礎構造４と、回収部２を上下方向にガイドするガイド構造５と（図２参照）、回収部２内に水を供給するための給水機構６（図２参照）と、回収部２内のくらげをカーテンウォール９外に流すための排出路７とを備えている。なお、便宜上、図２では巻上機構３を図示せず、また、図６ではガイド構造５を図示していない。
【００２７】
回収部２は、図３に示すように、かご状である回収かご２０と、回収かご２０内のくらげを排出路７に排出するためのゲート２１と、回収かご２０が固定されるベース２２（図４参照）とを有する。なお、本実施形態では、一つのベース２２上に２つの回収かご２０が固定されており、各回収かご２０には個別のゲート２１が設けられている。
【００２８】
回収かご２０は、該回収かご２０の底部を構成する底受部２００と、該底受部２００の外周縁部全周から上方に延出する周壁部２０１と、周壁部２０１を底受部２００に支持するための補強支持部２０２とを有する。
【００２９】
底受部２００は、平らな底板部２００ａと、該底板部２００ａの外周縁部全周から上方に延出する環状起立部２００ｂを有する。なお、本実施形態では、底板部２００ａと、環状起立部２００ｂとがステンレス板で構成されており、内側の一面（底受部２００の内面を構成する一面）が平滑な面となっている。
【００３０】
そして、底板部２００ａは、平面視において長方形となるように形成されている。また、底板部２００ａの一方の板面は回収かご２０の内底面を構成し、他方の板面は回収かご２０の外底面を構成している。
【００３１】
回収かご２０は、掬った（回収した）くらげが内底面上を流動するように構成されており、本実施形態では、内底面上を長手方向（内底面の長手方向）における一端側から他端側に向かって流動するように構成されている。
【００３２】
そのため、内底面の前記一端は、くらげの流動方向における上流側に位置し、内底面の前記他端は、該流動方向における下流側に位置している。なお、本実施形態では、内底面の前記一端を上流端と称し、内底面の前記他端を下流端と称する。
【００３３】
さらに、本実施形態に係る内底面（底板部２００ａの一方の板面）は、下流端が上流端よりも下方側に位置するように傾斜している。なお、本実施形態に係る底板部２００ａは、常時傾いた姿勢になっているが、くらげを排出路７に排出する際に傾斜するように構成されていてもよい。
【００３４】
環状起立部２００ｂは、前記内底面の長辺部から延出する一対のガイド壁部２００ｃと、前記流動方向における前記内底面の一方の短辺（すなわち、下流端）から延出する前方起立部２００ｄと、前記流動方向における前記内底面の他方の短辺（すなわち、上流端）から延出する後方起立部２００ｅとを有する。
【００３５】
ガイド壁部２００ｃは、前記内底面の長辺部の全長に亘って延びるように形成されている。また、一対のガイド壁部２００ｃは、前記横幅方向において対向配置されている。一対のガイド壁部２００ｃは、内底面上を流れるくらげや、水（給水機構６から出した水）を前記横幅方向で内底面外に出さずに、前記流動方向に沿って流れ易くするための部位である。
【００３６】
また、ガイド壁部２００ｃは、図４に示すように、基端側から先端側になるにつれて、前記横幅方向における外側に向かうように傾斜している。
【００３７】
前方起立部２００ｄ及び後方起立部２００ｅは、図５に示すように、上下方向に沿って起立しているが、底板部２００ａは、前方起立部２００ｄ及び後方起立部２００ｅに対して傾斜した姿勢となっている。より具体的には、底板部２００ａは、水平方向に対して傾斜しており、後方起立部２００ｅ側の後端部が前方起立部２００ｄ側の前端部よりも上方に位置している。これにより、本実施形態に係る底板部２００ａは、上述のように常時傾いた姿勢となっている。
【００３８】
本実施形態に係る前方起立部２００ｄは、上下方向に沿って起立している状態（内底面に対して引き起こされている状態）、すなわち、前記流動方向で底受部２００の内外を隔てている状態と、水平方向又は略水平方向に沿って横倒しにされた状態、すなわち、前記流動方向で底受部２００の内外を開放している状態とに切替可能である。すなわち、本実施形態に係る回収部２では、前方起立部２００ｄを開閉可能な構造とすることにより、ゲート２１を構成している。
【００３９】
より具体的に説明すると、前方起立部２００ｄは、平板状の開閉部２００ｆと、該開閉部２００ｆを底板部２００ａに対して回転可能に連結する回転連結部２００ｇとを有する。
【００４０】
回転連結部２００ｇの回転中心軸線は、前記横幅方向に対応する方向に延びている。また、回転連結部２００ｇは、開閉部２００ｆの下端部と底板部２００ａとを連結している。そのため、前方起立部２００ｄは、開閉部２００ｆの下端側を基点として回転させることによって、底受部２００上で起立している状態と、底受部２００の外側に傾倒した状態とに切り替わるように構成されている。
【００４１】
なお、図示していないが、前方起立部２００ｄは、開閉部２００ｆを底受部２００上で起立している状態で固定可能なロック部を有していてもよい。なお、ロック部の操作は、手動であっても自動であってもよいが、本実施形態では手動で操作するように構成されている。また、回転連結部２００ｇは、例えば、ヒンジ等の部材で構成すればよい。
【００４２】
周壁部２０１は、回収部２が沈下状態から引上状態に切り替えられた際に、くらげを残して前記回収部内の海水を流出させる水抜孔が形成されていてもよい。すなわち、周壁部２０１は、くらげと共に掬い上げた海水から、海水のみを回収部２の外部に流出させるフィルター機能を有するように構成されている。
【００４３】
また、図３に示すように、本実施形態に係る周壁部２０１は、前記横幅方向における底受部２００の側端部に設けられる一対の横壁部２０１ａと、前記流動方向における底受部２００の前端部に設けられる前壁部２０１ｂと、前記流動方向における底受部２００の後端部に設けられる後壁部２０１ｃとを有する。本実施形態では、一対の横壁部２０１ａ、前壁部２０１ｂ、後壁部２０１ｃがそれぞれ剛性を有する材料で構成されており、本実施形態ではステンレスメッシュで構成されている。
【００４４】
一対の横壁部２０１ａは、図４に示すように、前記横幅方向で間隔をあけて対向配置されている。各横壁部２０１ａは、ガイド壁部２００ｃの上端から上方に延出するように設けられており、基端側から先端側になるにつれて、前記横幅方向における外側に徐々に向かうように傾斜している。
【００４５】
本実施形態に係る横壁部２０１ａは、全体が網状となっており、網目により水抜孔が構成されている。また、横壁部２０１ａは、くらげと共に掬い上げた海水から海水のみを回収部２の外部に流出させることができれば、一部を網状としてもよい。
【００４６】
前方起立部２００ｄは、図５に示すように、前方起立部２００ｄの上端から上方に向かって延出するように設けられている。そして、後方起立部２００ｅは、後方起立部２００ｅの上端から上方に向かって延出するように設けられている。また、本実施形態では、横壁部２０１ａと同様、前方起立部２００ｄの全体、後方起立部２００ｅの全体が板状となっているが、前方起立部２００ｄ、後方起立部２００ｅも、一部を網状とすることは可能である。なお、本実施形態では、前方起立部２００ｄ、後方起立部２００ｅと同様、前方起立部２００ｄ、後方起立部２００ｅも上下方向に沿って起立している。
【００４７】
補強支持部２０２は、図３に示すように、前記横幅方向における底受部２００の両側に形成されている複数の側方支持部２０２ａと、前記流動方向における底受部２００の前方側に形成されている複数の前方支持部２０２ｂと、前記流動方向における底受部２００の後方側に形成されている複数の後方支持部２０２ｃとを有する。
【００４８】
側方支持部２０２ａは、図４に示すように、柱状であり、ベース２２からガイド壁部２００ｃの上方に向かって延びている。
【００４９】
また、側方支持部２０２ａが延出している方向は、ガイド壁部２００ｃが内底面から延出している方向と一致又はほぼ一致している。そのため、側方支持部２０２ａは、基端側から先端側になるにつれて、前記横幅方向における外側に徐々に向かうように傾斜している。
【００５０】
前方支持部２０２ｂは、図５に示すように、柱状であり、前方起立部２００ｄから上方に向かって延びるように形成されている。また、前方支持部２０２ｂは、隣り合う回収かご２０の前壁部２０１ｂの交点に対応する位置を基準として、前記横幅方向において所定の間隔毎に配置されている。
【００５１】
後方支持部２０２ｃは、柱状であり、後方起立部２００ｅから上方に向かって延びるように形成されている。また、後方支持部２０２ｃは、隣り合う回収かご２０の後壁部２０１ｃの交点に対応する位置を基準として、前記横幅方向において所定の間隔毎に配置されている。
【００５２】
ゲート２１は、上述のように、前方起立部２００ｄで構成されている。
【００５３】
ベース２２は、図４に示すように、平板状である。また、本実施形態においては、ベース２２上に２つの回収かご２０が横並びにして固定されている。なお、２つの回収部２は、それぞれの横壁部２０１ａを隣り合わせにした状態で配置されている。
【００５４】
ベース２２に回収かご２０を固定する場合は、溶接や、ボルトとナットによる締結等の手段を用いればよい。
【００５５】
巻上機構３は、図６に示すように、回収かご２０の長手方向における一端（本実施形態では、回収かご２０の後壁部２０１ｃ側）に連結される後方巻上部３０と、回収かご２０の長手方向における他端（本実施形態では、回収かご２０の前壁部２０１ｂ側）に連結される前方巻上部３１と、前記後方巻上部３０と前方巻上部３１とを駆動させるための駆動部３２とを備えている。
【００５６】
後方巻上部３０には、巻線Ｌ１によって回収部２の隅部（より具体的には、横壁部２０１ａと後壁部２０１ｃとが交わる角部）に連結される巻上ロール部（以下、後方巻上ロール部と称する）３００と、該後方巻上ロール部３００を回転可能に支持している長尺な回転軸（以下、後方回転軸と称する）３０１とを備えている。
【００５７】
後方回転軸３０１は、長手方向が後壁部２０１ｃの上端が延びる方向と一致するように配置されており、本実施形態では架橋部４１上に設置されている。
【００５８】
前方巻上部３１には、巻線Ｌ１によって回収部２の隅部（より具体的には、横壁部２０１ａと前壁部２０１ｂとが交わる角部）に連結される巻上ロール部（以下、前方巻上ロール部と称する）３１０と、該前方巻上ロール部３１０を回転可能に支持している長尺な回転軸（以下、前方回転軸と称する）３１１とを備えている。
【００５９】
前方回転軸３１１は、長手方向が前壁部２０１ｂの上端が延びる方向と一致するように配置されており、本実施形態では一対の立柱部４０（具体的には、回収かご２０の長手方向に対して直交する方向で並ぶ一対の立柱部４０）上に架け渡されている。
【００６０】
このように、巻上機構３では、後方巻上部３０と、前方巻上部３１とが回収かご２０の上部に設置されているため、回収部２は、各巻線Ｌ１を介して巻上機構３に吊り下げられた状態になっている。
【００６１】
駆動部３２は、後方回転軸３０１に対して動力を与える電動機３２０と、後方回転軸３０１を介して電動機３２０の動力を前方回転軸３１１に伝えるための駆動伝達機構３２１とを備えている。
【００６２】
電動機３２０は、架橋部４１上に設置されている。
【００６３】
そして、駆動伝達機構３２１は、後方回転軸３０１に挿通されている伝達用ロール部（以下、後方伝達用ロール部と称する）３２１ａと、前方回転軸３１１に挿通され且つ連結線Ｌ２を介して該後方伝達用ロール部３２１ａに連結された伝達用ロール部（以下、前方伝達用ロール部と称する）３２１ｂとを有する。
【００６４】
巻上機構３は、電動機３２０の動力を受けた後方回転軸３０１が回転（正転、若しくは逆転）すると、後方回転軸３０１とともに後方巻上ロール部３００と後方伝達用ロール部３２１ａとが同方向に回転し、さらに、後方伝達用ロール部３２１ａに対して連結線Ｌ２を介して連結されている前方伝達用ロール部３２１ｂも前方回転軸３１１とともに回転する。
【００６５】
従って、巻上機構３は、電動機３２０で後方回転軸３０１を回転させて巻線Ｌ１を巻き上げることにより回収部２を上昇させることができ、巻線Ｌ１を引き出すことにより回収部２を下降させることができるように構成されている。なお、本実施形態では、回収部２の全体が海面上に引き上げられた状態を引上状態と称し、回収部２の全体が海中に沈められた状態を沈下状態と称して以下の説明を行うこととする。
【００６６】
基礎構造４は、図１に示すように、柱状であり、上端が海面上に位置するように立設された複数の立柱部４０と、該複数の立柱部４０上に架け渡された架橋部４１とを有する。
【００６７】
複数の立柱部４０には、カーテンウォール９上に立設されたものと、除塵機８１のコンクリートベース上に立設されたものとが含まれている。
【００６８】
架橋部４１は、回収かご２０の長手方向に対して直交する方向に延びている。
【００６９】
ガイド構造５は、上下方向に真っ直ぐに延びる複数の柱状ガイド部５０と、該柱状ガイド部５０と回収かご２０とを連結する複数の連結可動部５１であって、柱状ガイド部５０に対して上下動可能な連結可動部５１とを有する。
【００７０】
本実施形態では、４つの柱状ガイド部５０が海底に立設されている。
【００７１】
連結可動部５１は、筒状に形成されており、前壁部２０１ｂと、後壁部２０１ｃとに設けられている。
【００７２】
連結可動部５１には上下方向に真っ直ぐに延びるように立設された柱状ガイド部５０が挿通されるが、上述のように、底板部２００ａが水平方向に対して傾斜しているため、内底面も水平方向に対して傾斜している。
【００７３】
給水機構６は、図２、及び図６に示すように、海水を汲み上げるための給水ポンプ６０と、該給水ポンプ６０で汲み上げた海水を流通させる給水路６１と、該給水路６１から回収部２内に海水を放出する放出口６２とを有する。
【００７４】
給水ポンプ６０は、カーテンウォール９内の海水を汲み上げるように構成されている。すなわち、給水ポンプ６０は、カーテンウォール９内の海水を水源としているが、カーテンウォール９外の海水を汲み上げるようにしてもよいし、海域以外の場所に貯留されている海水や水等を汲み上げるようにしてもよい。
【００７５】
給水路６１は、給水ポンプ６０に接続されるとともに、支柱部４２に沿わせて上方に延びる下流側流路６１０と、該下流側流路６１０の先端から延出し、且つ架橋部４１に沿わせて設置されている上流側流路６１１とを有する。
【００７６】
放出口６２は、上流側流路６１１（すなわち、回収部２の上方）に形成されており、これにより、給水ポンプ６０で汲み上げた海水が給水路６１を通じて放出口６２から回収部２内に放出されるように構成されている。また、本実施形態に係る放出口６２は、底板部２００ａの後端部側に海水を放出するように構成されている。
【００７７】
排出路７は、回収部２内のくらげが投入される投入部７０と、投入部７０に投入されたくらげをカーテンウォール９外の領域に排出する排出部７１とを有する。
【００７８】
排出路７は、図１に示すように、回収部２のゲート２１とカーテンウォール９の外側の領域とを繋ぐ流路であり、投入部７０はカーテンウォール９内又はカーテンウォール９上に位置しており、排出部７１はカーテンウォール９外で開放している。
【００７９】
投入部７０は、引上状態に切り替えられた回収部２のくらげを受入可能な位置に設けられている。また、排出部７１の先端部は、カーテンウォール９よりも外側の海域上に位置している。
【００８０】
なお、排出路７は、投入部７０から排出部７１にかけて下り傾斜となるように構成されていることが好ましい。
【００８１】
本実施形態に係るくらげ除去装置１の構成は、以上の通りである。続いて、くらげ除去装置１の動作について添付図面を参照しつつ説明を行うこととする。
【００８２】
カーテンウォール９内のくらげを除去する場合、回収部２を沈下状態から引上状態に切り替える（図２参照）。
【００８３】
回収部２を海面上に引き上げる際、回収かご２０は、くらげと共に海水を掬い上げるが、海水のみが周壁部２０１を通じて回収かご２０の外に流出する。そのため、引上状態に切り替えられた回収部２内には海水がほとんど残っていない状態になる。
【００８４】
また、回収かご２０内の海水が外部に流出するにつれて、くらげが横壁部２０１ａの内面に案内されて回収かご２０の中央部側（前記横幅方向における中央部側）に集まる。
【００８５】
そして、回収部２を排出路７と対応する位置まで引き上げ、内底面の下流端の位置を排出路７の投入部７０の位置に合わせた後に、前方起立部２００ｄを開き（図７参照）、給水機構６で底受部２００内に海水を流す。底受部２００の内底面は、下流端側が上流端側よりも下方側に位置するように傾斜しているため、給水機構６から底受部２００に供給された海水には底受部２００の上流端側から下流端側に向かう流れが生まれる。
【００８６】
そして、底受部２００内の海水の流れに乗って、くらげが回収かご２０から排出路７（投入部７０）に排出され、該排出路７内を流れて排出部７１からカーテンウォール９の外に排出される。
【００８７】
以上のように、本実施形態に係るくらげ除去装置１によれば、回収部２で掬って回収したくらげを排出路７からカーテンウォール９の外側に流すことができるため、カーテンウォール９内のくらげを溜め続けることなく、すぐに除去することができる。
【００８８】
従って、本実施形態に係るくらげ除去装置１は、回収したくらげをカーテンウォール９外に直ちに放流することができる。
【００８９】
また、本実施形態に係るくらげ除去装置１では、周壁部２０１（周壁部２０１の横壁部２０１ａ）が基端側から先端側になるにつれて、前記回収部２の外側（前記横幅方向における外側に向かうように傾斜している。
【００９０】
このように、回収部２では、周壁部２０１が口広がりになっているため、くらげを掬うことができる領域を広げることができる。
【００９１】
また、くらげを掬った後においては、横壁部２０１ａの内面に案内されて回収かご２０の中央部側（前記横幅方向における中央部側）に集まり易くなる。これにより、回収部２内にくらげが残らないように排出路７に排出し易くなる。
【００９２】
また、回収部２では、内底面の外周縁部全周から周壁部２０１が上方に延出し、この周壁部２０１全体がくらげと共に掬い上げた海水から海水ののみを回収部２外に流出させるフィルター機能を有するため、周壁部２０１が海面に露出した段階から回収部２内の海水が流出し始める。
【００９３】
そのため、周壁部２０１が海面に露出した段階から回収部２内の水位が下がり始めることによって、回収部２から海水とともにくらげがこぼれてしまうことを防止できる。
【００９４】
また、回収部２内の水位（海水量）が減少すれば、回収部２の吊り上げ時に巻上機構３にかかる負荷が抑えられるため、回収部２を円滑に吊り上げることができる。
【００９５】
さらに、本実施形態では、回収部２が海底から架橋部４１まで上下方向に沿って真っ直ぐに延びる柱状ガイド部５０によって上下方向に案内されるため、吊り上げ及び吊り下ろしを行う際に、風等の影響による回収部２の揺れを防止できるようになっている。
【００９６】
本実施形態に係るくらげ除去装置１において、内底面は、下流端が上流端よりも下方側に位置するように傾斜しているため、回収したくらげが上流側から下流側に向かって流動し易くなる。
【００９７】
また、底受部２００では、底板部２００ａと、環状起立部２００ｂの内側の一面が平滑な面となっているため、水分を豊富に含んでいるくらげが底受部２００内でさらに流動し易くなっている（滑り易くなっている）
【００９８】
そして、本実施形態では、この内底面に対して給水機構６で水（海水）を流すことができるため、回収したくらげを内底面の上流側から下流側（すなわち、排出路７側）に向けて勢い良く流すことができる。従って、内底面上でのくらげの流れをスムーズにすることで、回収したくらげを排出路７に排出し易くすることができる。
【００９９】
また、内底面の長辺部には、全長に亘って一対のガイド壁部２００ｃが形成されているため、くらげや、給水機構６から流した水が前記横幅方向で内底面の外側に流出せずに排出路７に向かってスムーズに流れるようになっている。
【０１００】
なお、本発明のくらげ除去装置は、上記一実施形態に限定されるものではなく、本発明の要旨を逸脱しない範囲において種々変更を行うことは勿論である。
【０１０１】
上記実施形態では、１つの回収部２が２つの回収かご２０を備えていたが、回収部２は、１つの回収かご２０を備えるようにしてもよいし、３つ以上の回収かご２０を備えるようにしてもよい。
【０１０２】
上記実施形態では、回収かご２０自体の姿勢を傾けることで内底面を傾斜させていたが、この構成に限定されない。例えば、回収かご２０自体は傾けずに、内底面を傾斜した形状に形成してもよい
【０１０３】
上記実施形態において、開閉部２００ｆは、底受部２００の前面を開放することができれば、回転させる方向を特に問わないし、着脱可能な構成であってもよい。
【０１０４】
上記実施形態では、周壁部２０１全体が、くらげと共に掬い上げた海水から、海水のみを回収部２の外部に流出させるフィルター機能を有するように構成されていたが、この構成に限定されない。例えば、周壁部２０１の一部がフィルター機能を有するように構成されていてもよい。
【０１０５】
上記実施形態において、横壁部２０１ａは、基端側から先端側になるにつれて、前記横幅方向における外側に徐々に向かうように傾斜していたが、この構成に限定されない。例えば、横壁部２０１ａは、上下方向に沿って真っ直ぐに起立するように形成されていてもよい。但し、くらげを効率よく回収するには、横壁部２０１ａを傾斜させている方が好ましい。
【０１０６】
上記実施形態において、回収かご２０では、底受部２００と周壁部２０１のうち、周壁部２０１のみがフィルター機能を有していたが、この構成に限定されない。例えば、底受部２００が受けているくらげがこぼれなければ、底受部２００と周壁部２０１とがフィルター機能を有していてもよいし、底受部２００のみがフィルター機能を有するようにしてもよい。
【０１０７】
上記実施形態では、回収部２の全体が海面上に引き上げられた状態を引上状態と称したが、くらげを排出路７に排出できる状態であれば、回収部２の一部が海面上に引き上げられた状態を引上状態としてもよい。
【０１０８】
上記実施形態では、回収部２の全体が海中に沈められた状態を沈下状態と称したが、
上昇時にくらげを掬うことができれば、回収部２の一部が海中に沈んでいる状態を沈下状態としてもよい。
【０１０９】
上記実施形態において、くらげ除去装置１は、回収部２内に水を供給するための給水機構６を備えていたが、回収部２内でくらげが十分に滑ることができるようになっていれば、給水機構６を備えていなくてもよい。
【符号の説明】
【０１１０】
１…除去装置、２…回収部、３…巻上機構、４…基礎構造、５…ガイド構造、６…給水機構、７…排出路、８…取水設備、９…カーテンウォール、２１…ゲート、２２…ベース、３０…後方巻上部、３１…前方巻上部、３２…駆動部、４０…立柱部、４１…架橋部、５０…柱状ガイド部、５１…連結可動部、６０…給水ポンプ、６１…給水路、６２…放出口、７０…投入部、７１…排出部、８０…取水部、８１…除塵機、２００…底受部、２００ａ…底板部、２００ｂ…環状起立部、２００ｃ…ガイド壁部、２００ｄ…前方起立部、２００ｅ…後方起立部、２００ｆ…開閉部、２００ｇ…回転連結部、２０１…周壁部、２０１ａ…横壁部、２０１ｂ…前壁部、２０１ｃ…後壁部、２０２…補強支持部、２０２ａ…側方支持部、２０２ｂ…前方支持部、２０２ｃ…後方支持部、３００…後方巻上ロール部、３０１…後方回転軸、３１０…前方巻上ロール部、３１１…前方回転軸、３２０…電動機、３２１…駆動伝達機構、３２１ａ…後方伝達用ロール部、３２１ｂ…前方伝達用ロール部、６１０…下流側流路、６１１…上流側流路、Ｌ１…各巻線、Ｌ１…巻線、Ｌ２…連結線
【図１】
2019078108.tif 000003
【図２】
2019078108.tif 000004
【図３】
2019078108.tif 000005
【図４】
2019078108.tif 000006
【図５】
2019078108.tif 000007
【図６】
2019078108.tif 000008
【図７】
2019078108.tif 000009